(57)【要約】      （修正有）【課題】防水性に優れた加速度センサを提供する。【解決手段】加速度を検出するセンサ素子４およびセンサ素子４の出力信号を処理する回路基板５からなるセンサ部６がケース２に支持され、また、ケース２のセンサ部６が支持されている面の反対側には、出力ケーブル１０が配置される。センサ部６が密閉された第一の空間と、出力ケーブル１０が配置され出力ケーブル１０の取り出し孔８が形成された第二の空間を分離する。これにより水分が侵入し易い出力ケーブル１０の取り出し孔８を有する第二の空間から、センサ部６を密閉する第一の空間への水分侵入を防止する。【選択図】図２
2015148492.tif 000002
【特許請求の範囲】
【請求項１】
加速度を検出するセンサ素子および前記センサ素子の出力信号を処理する回路基板を有するセンサ部と、前記センサ部と電気的に接続された出力ケーブルと、前記センサ部および前記出力ケーブルを搭載するケースと、前記ケースから前記出力ケーブルが外部に取り出されてなる加速度センサであって、
前記ケースの前記センサ部の搭載面の反対面に、前記出力ケーブルが配置され、
前記ケースには接続ピンがハーメチックシールにより封止され、前記接続ピンを介して前記センサ部と前記出力ケーブルが電気的に接続し、
前記ケースの前記センサ部の搭載面側には、前記センサ部を覆うカバーが接合されて、前記センサ部を密閉する第一の空間が形成され、
前記ケースの前記出力ケーブルを有する側には、前記出力ケーブルの一部を収納し、振動検出面を有するベースが接合されて第二の空間が形成され、
前記第二の空間において前記ケースには、前記出力ケーブルを外部に取り出す取り出し孔が形成され、
前記第一の空間と前記第二の空間は分離されていることを特徴とする加速度センサ。
【請求項２】
前記第二の空間には、撥水性を有する樹脂が充填されていることを特徴とする請求項１に記載の加速度センサ。
【発明の詳細な説明】
【技術分野】
【０００１】
本発明は、振動を検知するために用いられる加速度センサに関する。
【背景技術】
【０００２】
従来、物品の表面に取り付けて、振動の状態を計測する用途に、加速度センサが用いられている。
【０００３】
近年、振動の状態を計測する環境も多岐に渡り、水分が付着するような環境や湿度が高い環境での計測を行う場合、加速度センサに高い防水性を要求されることが多くなってきている。防水性を向上した加速度センサとして、例えば特許文献１の圧電型振動センサ装置が提案されている。
【０００４】
図３は、従来の加速度センサを示す断面図である。図３に示す特許文献１の圧電型振動センサ装置は、中空パッケージ２１内に圧電体を有するセンサが収納され、圧電体からの電気的出力を取り出すためのケーブル２２の一端が接続され、ケーブル２２の他端が中空パッケージの外部に取り出されている構成となっている。
【０００５】
特許文献１では、加速度センサ２００において、中空パッケージ２１にケーブル２２を外部に取り出すための孔が形成された厚肉のケーブル取り出し部２３が設けられ、ケーブル取り出し部２３は孔に沿って二分割可能な構造であり、ケーブル２２が孔に通されるとともに接着され、ケーブル取り出し部２３の分割面の接着面積を大きくし、接着強度を増加させている。さらに、孔の周面にリング状の凸部が設けられ、ケーブル２２の周囲はリング状の凸部によって取り囲まれている構成であるため、水分の浸入の防止が可能となっている。
【先行技術文献】
【特許文献】
【０００６】
【特許文献１】特開平８−１５００５号公報
【発明の概要】
【発明が解決しようとする課題】
【０００７】
上述した特許文献１の構成では、ケーブルの曲げ方向の加圧の繰り返しや、ケーブルの劣化などにより、水分の浸入が完全に防止できず、防水性が十分ではないという課題があった。
【０００８】
本発明は、上記の課題を解決するためになされたもので、防水性に優れた加速度センサを提供することを目的とする。
【課題を解決するための手段】
【０００９】
本発明は、加速度を検出するセンサ素子および前記センサ素子の出力信号を処理する回路基板を有するセンサ部と、前記センサ部と電気的に接続された出力ケーブルと、前記センサ部および前記出力ケーブルを搭載するケースと、前記ケースから前記出力ケーブルが外部に取り出されてなる加速度センサであって、前記ケースの前記センサ部の搭載面の反対面に、前記出力ケーブルが配置され、前記ケースには接続ピンがハーメチックシールにより封止され、前記接続ピンを介して前記センサ部と前記出力ケーブルが電気的に接続し、前記ケースの前記センサ部の搭載面側には、前記センサ部を覆うカバーが接合されて、前記センサ部を密閉する第一の空間が形成され、前記ケースの前記出力ケーブルを有する側には、前記出力ケーブルの一部を収納し、振動検出面を有するベースが接合されて第二の空間が形成され、前記第二の空間において前記ケースには、前記出力ケーブルを外部に取り出す取り出し孔が形成され、前記第一の空間と前記第二の空間は分離されていることを特徴とする。
【００１０】
また、前記第二の空間には、撥水性を有する樹脂が充填されていることが好ましい。
【発明の効果】
【００１１】
本発明によれば、センサ部が密閉された第一の空間と、出力ケーブルが配置され出力ケーブルの取り出し孔が形成された第二の空間が分離され、空間同士が繋がりのない構成としているため、水分が比較的侵入しやすい出力ケーブル取り出し孔が形成された第二の空間からの水分は、第一の空間には侵入しないため、防水性に優れた加速度センサを提供できる。また、第二の空間に撥水性を有する樹脂を充填することにより、さらに防水性を向上することが可能となる。
【図面の簡単な説明】
【００１２】
【図１】本発明の加速度センサを示す斜視図。
【図２】本発明の加速度センサを示す断面図。
【図３】従来の加速度センサを示す断面図。
【発明を実施するための形態】
【００１３】
以下、本発明による加速度センサの実施の形態を、図面を用いて説明する。
【００１４】
図１は、本発明の加速度センサを示す斜視図である。図１に示すように、本実施の形態の加速度センサ１００は、内部にセンサ部を収納する筐体として、枠状でセンサ部の搭載面を有するケース２と、ケース２の外周部分に接合する、枠状で蓋を有するカバー１、カバー１と反対側に接合され、振動検出面を有するベース３で構成されている。ケース２の側面からは外側に向けて出力ケーブル１０が取り出されている。また、出力ケーブル１０のケース２から外部へ取り出した部分には、出力ケーブル１０の保護と防水のため保護部材１３が設けられている。ベース３の底面側を振動検出面とし、振動検出面に測定対象物を接触させることで測定を行うことが可能となる。
【００１５】
本実施の形態において、筐体であるカバー１、ケース２、ベース３は、それぞれＳＵＳで形成されている。筐体の材質は、耐水性や加工性等を考慮し、適宜選択できる。ケース２とカバー１およびベース３の接合には、防水性、作業性を考慮して、レーザー溶接等を用いるのが望ましい。また、出力ケーブル１０の保護部材１３は、出力ケーブル１０を外部の衝撃等から保護しかつ防水できる構成であればよく、熱収縮チューブ等が使用できる。また、筐体と同じ材料を用い接合することも可能である。
【００１６】
図２は、本発明の加速度センサを示す断面図である。図２に示すように、本実施の形態の加速度センサ１００は、加速度を検出するセンサ素子４およびセンサ素子４の出力信号を処理する回路基板５からなるセンサ部６が、ケース２に支持され、また、ケース２のセンサ部６が支持されている面の反対側には、出力ケーブル１０が配置されている構成となっている。
【００１７】
ケース２は、センサ部６および出力ケーブル１０を両面に配置する搭載部２ａと、搭載部２ａの外周部から搭載部２ａの面に対して直交し両方向に延出する側面２ｂで構成されている。ケース２の側面２ｂにおけるセンサ部６が支持されている方向の端部にはカバー１が接合され、センサ部６を密閉する構成としている。さらに、ケース２の側面２ｂにおける出力ケーブル１０を配置している方向の端部には、ベース３が接合され、出力ケーブル１０の一部を収納する構成としている。また、ケース２における出力ケーブル１０を配置している側の側面２ｂには、出力ケーブル１０を取り出すための取り出し孔８が設けられ、出力ケーブル１０が外部へ取り出される構成としている。
【００１８】
本実施の形態では、ケース２とカバー１との接合により形成された、センサ部６を密閉する第一の空間と、ケース２とベース３との接合により形成された、出力ケーブル１０および出力ケーブル１０の取り出し孔８を有する第二の空間を分離した構成としている。このように第一の空間と第二の空間の間に空間の繋がりの無い構成とすることにより、高い防水性を要求される環境での使用において、水分が侵入し易い出力ケーブル１０の取り出し孔８を有する第二の空間から、センサ部６を密閉する第一の空間への水分侵入を防止することができる。したがって、防水に対する冗長性が向上し、信頼性が高い加速度センサを提供することが可能となる。
【００１９】
さらに、第二の空間には、撥水性を有する樹脂が充填されていることが望ましい。この構造により、防水性がより向上するとともに、重心が第二の空間へ偏るため、測定時の加速度センサの姿勢が安定するという効果も得られる。撥水性を有する樹脂として、シリコン樹脂やアクリル樹脂が好ましく使用可能であるが、これに限定されず、ケースやベースとの密着性がよいもの、密封されるため、ガス放出の少ないものが望ましい。また、樹脂の硬化については、熱硬化型、湿気硬化型等、硬化方法は限定されないため、作業性等を考慮して適宜選択可能である。
【００２０】
本実施の形態では、ケース２の搭載部２ａにおいて、センサ部６が支持されている面の反対側の面には、接続基板７が固定されており、接続基板７に出力ケーブル１０の一端が接続している。
【００２１】
また、ケース２の搭載部２ａには、金属製の接続ピン９がハーメチックシール、すなわち搭載部２ａを貫通し気密性を保った状態で封止されており、接続ピン９は、搭載部２ａを貫通して、センサ部６側と出力ケーブル１０側に突出し、センサ部６と出力ケーブル１０にそれぞれ電気的に接続される。出力ケーブル１０と接続ピン９の接続は、本実施の形態のように、接続基板７を介して行うことにより、接続ピン９と出力ケーブル１０を直接接続するよりも作業性がよく、接続がより確実となる。
【００２２】
接続ピン９は、複数用いてもよく、その場合、センサ部６と接続基板７を電気的に接続する接続ピン９の他に、グランド接続用の接続ピンを設けることも可能である。グランド接続用の接続ピンは、ケース２等の筐体と電気的に接続することにより、シールド効果によるノイズの影響の低減を図ることが可能となる。
【００２３】
接続基板７に一端が接続した出力ケーブル１０は、上述したようにケース２の側面２ｂに設けられた取り出し孔８から外部へ取り出される。このとき、出力ケーブル１０の取り出し孔８に対応する取り出し部には、被覆１１やシールド部材１２、保護部材１３等が形成され、出力ケーブル１０を保護するとともに取り出し孔８を塞ぐ構成とするのが望ましい。
【００２４】
ケース２の側面２ｂに設けられた取り出し孔８には段差が設けられていてもよい。本実施の形態において、取り出し孔は、ケース２の側面２ｂの内側が狭く、外側が広くなるように段差を形成している。この構成により、例えばシールド部材１２を段差部分に接触させ、出力ケーブル１０の位置決めを行うこともでき作業性を良くする効果が得られる。また、水分の侵入経路を長くすることができ、防水性をさらに向上する効果が得られる。
【００２５】
以上説明した通り、本実施の形態によれば、防水性に優れた加速度センサを提供することが可能となる。
【００２６】
また、本実施の形態では、第一の空間において、センサ部６を構成する回路基板５は、センサ素子４と離間して積層配置され、回路基板５の外周はケース２に固定される構成となっている。この構成により、回路基板５の固定が堅牢となり、耐衝撃性が向上し、ノイズの発生を抑制し、加速度センサ１００の剛性が向上することによる共振周波数が高くなる効果も得られる。加速度センサ１００の測定周波数は、共振周波数より低い帯域が用いられるため、加速度センサ１００の共振周波数が高いほど、広い周波数帯域での測定が可能となる。
【００２７】
さらに、本実施の形態では、各構成部材を順に組み上げることで製造が可能であるため、製造が容易で、量産性に優れた加速度センサを提供することも可能となる。
【符号の説明】
【００２８】
１  カバー
２  ケース
２ａ  搭載部
２ｂ  側面
３  ベース
４  センサ素子
５  回路基板
６  センサ部
７  接続基板
８  取り出し孔
９  接続ピン
１０  出力ケーブル
１１  被覆
１２  シールド部材
１３  保護部材
１００、２００  加速度センサ
２１  中空パッケージ
２２  ケーブル
２３  ケーブル取り出し部
【図１】
2015148492.tif 000003
【図２】
2015148492.tif 000004
【図３】
2015148492.tif 000005